(57)【特許請求の範囲】
【請求項１】
ディスク状の情報記録媒体を収納したカートリッジケースの表，裏面に設けた記録及び／又は再生用の開口部を開閉するシャッターと、上記シャッターを上記カートリッジケースにスライド可能に取付けたスライド部材とを備えていて、
上記シャッターは、上記カートリッジケースの表，裏面の一方の面に設けた記録及び／又は再生用の開口部を開閉する第１のシャッター板と、他方の面に設けた記録及び／又は再生用の開口部を開閉する第２のシャッター板とに分割され、  上記スライド部材は、上記第１のシャッター板を取付ける第１のスライド部と、上記第２のシャッター板を取付ける第２のスライド部に分割され、上記第１，第２のシャッター板は、上記カートリッジケースの表面又は裏面に重なり合って上記開口部を開閉するシャッター本体部と、該シャッター本体部の一端部に設けられていて、上記第１，第２のスライド部を内面に取り付けるスライド部材取付部を備え、上記スライド部材取付部は、記録及び／又は再生装置側のシャッター解放部材が係合するシャッター解放部材係合部を備えた情報記録媒体カートリッジであって、上記シャッター解放部材係合部は、上記シャッター板のスライド部材取付部を切り欠くことにより形成されたシャッター側の係合部と、上記スライド部を切り欠くことにより形成されていて、上記シャッター側の係合部に臨むスライド部材側の係合部と、で構成され、
上記第１，第２のシャッター板は、上記カートリッジケースの表，裏面に設けた記録及び／又は再生用の開口部を閉じている状態において上記カートリッジケースの厚み方向に重なり合うとともに、上記シャッター解放部材係合部相互もカートリッジケースの中央部で重なり合うことを特徴とする情報記録媒体カートリッジ。
【請求項２】
請求項１において、
上記シャッター側の係合部の切り欠きは、上記スライド部材側の係合部の切り欠きよりも大きく形成されていて、上記スライド部材側の係合部の切り欠き縁部が上記シャッター側の係合部の切り欠き縁部の内側に露呈していることを特徴とする情報記録媒体カートリッジ。
【請求項３】
請求項１において、
上記第１，第２のシャッター板のシャッター解放部材係合部を構成するスライド部材側の係合部の切り欠きの少なくとも一方は、底部を有していて、上記カートリッジケースの中央部で重なり合った時に、上記第１，第２のシャッター板のシャッター解放部材係合部相互は上記底部で隔成されることを特徴とする情報記録媒体カートリッジ。
【発明の詳細な説明】
【０００１】
【発明の属する技術分野】
本発明は、磁気ディスクや光ディスク或は光磁気ディスクや相変化型光デイスク等の情報記録媒体を収納した情報記録媒体カートリッジに関するものである。
【０００２】
【従来の技術】
情報記録媒体カートリッジとして、例えば図２７に示したものが知られている。
【０００３】
上記情報記録媒体カートリッジ（以下、単にカートリッジという）１０１は、表，裏両面に記録層を設けた光ディスクや光磁気ディスク等の情報記録媒体（以下、ディスクという）１０２と、該ディスク１０２を回転可能に収納したカートリッジケース（以下、シェルという）１０３と、該シェル１０３にスライド可能に取付けられていて、該シェル１０３の表，裏面に設けた記録及び／又は再生用の開口部（以下、単に開口部という）１０４を開閉するシャッター１０５とを備えている。
【０００４】
上記シャッター１０５は、上記シェル１０３の表面側の開口部１０４を開閉する第１のシャッター板１０６と、上記シェル１０３の裏面側の開口部１０４を開閉する第２のシャッター板１０７とを備えている。上記シャッター１０５は、金属板を折り曲げることにより略コ字状に形成されていて、上記シェル１０３の表，裏面の開口部１０４を同時に開閉する。
【０００５】
上記カートリッジ１０１は、記録及び／又は再生装置（以下、ドライブ装置という）に装着されると、該ドライブ装置に設けられたシャッター解放部材でシャッター１０５が駆動操作され、上記シェル１０３の表，裏両面の開口部１０４が同時に開放されるようになっている。
【０００６】
そして、図２８に示したように、上記カートリッジ１０１は、上記ディスク１０２がシェル１０３の裏面側の開口部１０４を介して、ドライブ装置のターンテーブル３０４にチャッキングされて回転駆動されると共に、上記裏面側の開口部１０４を介して光学ピックアップ３０５により、上記ディスク１０２への記録及び／又は再生が行われるようになっている。
【０００７】
ところで、上記従来の第１，第２のシャッター板１０６，１０７を一体に形成したシャッター１０５を使用したディスク１０１は、記録及び／又は再生のために上記シェル１０３の裏面側の開口部１０４を開くと、記録及び／又は再生に直接関係しない場合でも上記シェル１０３の裏面側の開口部１０４も開かれて、該表面側の開口部１０４からシェル１０３内に侵入した塵埃３０６等がディスク１０２の上面に付着、堆積するという不具合があった。上記塵埃等の付着は高密度記録の大容量のディスクにとって看過できない悪影響を及ぼす。
【０００８】
上記不具合を解消するものとして、図２９，図３０に示した分割シャッターを使用したカートリッジ２０１が開発された。上記カートリッジ２０１において、シャッター２０５は、シェル２０３の表面側（上ハーフ２０３ａ側）の開口部２０４を開閉する第１のシャッター板２０６と、上記シェル２０３の裏面側（下ハーフ２０３ｂ側）の開口部２０４を開閉する第２のシャッター板２０７とを備えている。上記第１，第２のシャッター板２０６，２０７は、上記スライド部材によって単独でスライドして、上記開口部２０４を独自に開閉するようになっている。
【０００９】
図３１に示したように、上記第１，第２のシャッター板２０６，２０７は、上記シェル１０３の表，裏面に重なり合うシャッター本体部２０６ａ，２０７ａと、これらシャッター本体部２０６ａ，２０７ａの一端部に設けられていて上記シェル２０２の背面側に重なり合う第１の折曲部２０６ｂ，２０７ｂと、これら第１の折曲部２０６ｂ，２０７ｂの一端部に設けられていて上記第１の折曲部２０６ｂ，２０７ｂとの間に上記シェル２０３を構成する上、下ハーフ２０３ａ，２０３ｂの一端部を挟み込む第２の折曲部２０６ｃ，２０７ｃとを備えている。
【００１０】
上記第１，第２のシャッター板２０６，２０７には、上記第１の折曲部２０６ｂ，２０７ｂから上記第２の折曲部２０６ｃ，２０７ｃに跨がるように、ドライブ装置のシャッター解放部材３０２のシャッター係合部（以下、係合ピンという））３０３を係合するシャッター解放部材係合部２１３が設けられている。
【００１１】
上記シャッター本体部２０６ａ，２０７ａは、上記開口部２０４を閉塞する閉塞部２０８と、該閉塞部２０８の一側部に連設されていて、上記開口部２０４を開放する開放部（切欠窓部）２０９を備えている。
【００１２】
図２９に示したように、上記第１，第２のシャッター板２０６，２０７は、第１の位置にあるときに、これら第１，第２のシャッター板２０６，２０７の閉塞部２０８が互にオーバーラップした状態になっていて、これら閉塞部２０８で、上記シェル２０３の表，裏面に設けた開口部２０４を閉塞している。
【００１３】
上記分割シャッターを使用したカートリッジ２０１がドライブ装置の所定の位置まで挿入されると、図２９に２点鎖線で示すように、ドライブ装置のシャッター解放部材３０２のシャッター係合ピン３０３が上記シャッター解放部材係合部２１３に係合する。
【００１４】
上記カートリッジ２０１が更にドライブ装置に挿入されると、上記シャッター開放部材３０２が矢印方向に回動して、上記第１のシャッター板２０６が駆動操作されて、図３０に示すように、上記シェル２０３の裏面側の開口部２０４のみが開放される。
【００１５】
上記カートリッジ２０１がドライブ装置のターンテーブル３０４に装着された状態になると、図３２に示したように、上記シェル２０３の裏面側の開口部２０４を介して、ディスク２０２は、上記ターンテーブル３０４によって回転駆動されると共に、光学ピックアップ３０５により、上記ディスク２０２への記録及び／又は再生が行われるようになっている。一方、上記第１のシャッター板２０６は、上記シェル２０３の表面側の開口部２０４を閉塞していて、該開口部２０４からの塵埃３０６等のシェル２０３内への侵入を防止している。
【００１６】
【発明が解決しようとする課題】
ところで、上記従来の分割シャッターを用いたカートリッジ２０１は、図３１に示すように、上記第１，第２のシャッター板２０６，２０７の第１の折曲部２０６ｂ，２０７ｂと、第２の折曲部２０６ｃ，２０７ｃとの間に上、下ハーフ２０３ａ，２０３ｂの一端部を挟み込むようにして、これら上、下ハーフ２０３ａ，２０３ｂにスライド可能に取り付けられていたために、次に述べるような問題点があった。
（１）上記第１，第２のシャッター板２０６，２０７をスライドさせる際に、上記第１の折曲部２０６ｂ，２０７ｂ及び第２の折曲部２０６ｃ，２０７ｃと、これら第１の折曲部２０６ｂ，２０７ｂ及び第２の折曲部２０６ｃ，２０７ｃに挟み込まれた上、下ハーフ２０３ａ，２０３ｂの一端部との間で所謂カジリが発生する。
（２）上記シャッター解放部材係合部２１３は、上記第１，第２のシャッター板２０６，２０７を打ち抜くことにより形成されているために、上記ドライブ装置のシャッター解放部材３０２の上記シャッター係合ピン３０３が上記シャッター解放部材係合部２１３に係合する際に、上記シャッター解放部材係合部２１３のエッジによって、上記シャッター係合ピン３０３が削られてしまう。また、上記シャッター係合ピン３０３を介して上記シャッターに掛かる圧力によって、上記シャッター解放部材係合部２１３の内周面が変形してしまう。また、上記第１，第２のシャッター板が上記カートリッジケースの表，裏面に設けた記録及び／又は再生用の開口部を閉じている状態において、両者の組み付けや、位置決め等を行うのが難しい。
【００１７】
【課題を解決するための手段】
本発明は、ディスク状の情報記録媒体を収納したカートリッジケースの表，裏面に設けた記録及び／又は再生用の開口部を開閉するシャッターと、上記シャッターを上記カートリッジケースにスライド可能に取付けたスライド部材とを備えていて、
上記シャッターは、上記カートリッジケースの表，裏面の一方の面に設けた記録及び／又は再生用の開口部を開閉する第１のシャッター板と、他方の面に設けた記録及び／又は再生用の開口部を開閉する第２のシャッター板とに分割され、  上記スライド部材は、上記第１のシャッター板を取付ける第１のスライド部と、上記第２のシャッター板を取付ける第２のスライド部に分割され、上記第１，第２のシャッター板は、上記カートリッジケースの表面又は裏面に重なり合って上記開口部を開閉するシャッター本体部と、該シャッター本体部の一端部に設けられていて、上記第１，第２のスライド部を内面に取り付けるスライド部材取付部を備え、上記スライド部材取付部は、記録及び／又は再生装置側のシャッター解放部材が係合するシャッター解放部材係合部を備えた情報記録媒体カートリッジおいて、
上記シャッター解放部材係合部を、上記シャッター板のスライド部材取付部を切り欠くことにより形成されたシャッター側の係合部と、上記スライド部を切り欠くことにより形成されていて、上記シャッター側の係合部に臨むスライド部材側の係合部と、で構成し、
上記第１，第２のシャッター板を、上記カートリッジケースの表，裏面に設けた記録及び／又は再生用の開口部を閉じている状態において上記カートリッジケースの厚み方向に重なり合うとともに、上記シャッター解放部材係合部相互もカートリッジケースの中央部で重なり合う構成にした。
【００１８】
【発明の実施の形態】
次に、本発明の情報記録媒体カートリッジを（１）全体の概略構成、（２）ディスクの構成、（３）シェルの構成、（４）シャッターの構成、（５）スライド部材の構成、（６）ガイド機構の構成、（７）他の実施例、（８）作用、の各項に分けて説明する。
【００１９】
（１）情報記録媒体カートリッジ全体の概略構成
図１は所謂シャッターを閉じた状態の情報記録媒体カートリッジ（以下、カートリッジという）１を表面側から見た斜視図、図２は同裏面側から見た斜視図、図３は裏面側のシャッターを開いた状態の斜視図、図４は同裏面側から見た斜視図である。上記カートリッジ１は、表，裏両面に記録及び／又は再生可能な所謂両面使用のカートリッジとして構成されている。
【００２０】
上記カートリッジ１は、ディスク状の情報記録媒体（以下、ディスクという）２と、該ディスク２を回転可能に収納したカートリッジケース（以下、シェルという）３と、該シェル３の表，裏両面に設けられた記録及び／又は再生用の開口部（以下、開口部という）３１と、該開口部３１を開閉するシャッター４と、該シャッター４を取付けたスライド部材７と、該スライド部材７を上記シェル３にスライド可能に取付けているガイド機構８（図７参照）とを備えている。
【００２１】
上記シャッター４は、上記シェル３の表面側（後に説明する上ハーフ３２側）に設けた開口部３１を開閉する第１のシャッター板４１と、上記シェル３の裏面側（後に説明する下ハーフ３３側）に設けた開口部３１を開閉する第２のシャッター板４２とを備えている。
【００２２】
上記第１，第２のシャッター板４１，４２は、図１，図２に示す上記開口部３１を閉塞する第１の位置と、図３，図４に示す開口部３１を開放する位置との間をそれぞれ独立にスライドするようになっている。
【００２３】
上記シャッター４を構成する第１，第２のシャッター板４１，４２は、上記シェル３の表，裏面に設けた開口部３１よりもやや大き目の上記開口部３１を完全に閉塞するのに必要な大きさで、かつ上記開口部３１を閉塞する第１の位置において、これら第１，第２のシャッター板４１，４２は、シェル３の肉厚方向において略一致して相重なり合う幅Ｗ（大きさ）に形成されている。上記第１，第２のシャッター板４１，４２には、同一部材が使用されている。
【００２４】
上記第１のシャッター板４１は、上記開口部３１を閉塞する第１の位置から矢印Ａ方向にスライドして上記開口部３１を開放する第２の位置にスライドするようになっている。また、上記第２のシャッター板４２は、上記矢印Ａ方向とは逆の矢印Ｂ方向にスライドして上記開口部３１を閉塞する第１の位置から上記開口部４を開放する第２の位置にスライドするようになっている。
【００２５】
上記シェル３の表，裏面には、上記開口部３１を中心にして、その一側部に上記第１，第２のシャッター板４１，４２がスライドするシャッタースライド面（シャッタースライドエリア）５が設けられ、他側部にインデックスカード等のラベル貼着面（ラベル貼着エリア）６が設けられている。上記第１，第２のシャッター板４１，４２は、後に詳しく説明するスライド部材７に取り付けられている。上記スライド部材７は、ガイド機構８により上記シェル３にスライド可能に取付けられている。
【００２６】
図５に示すように、上記第１，第２のシャッター板４１，４２は、上記開口部３１を完全に閉塞できるように上記開口部３１よりも若干大き目の幅Ｗと長さＬの長方形状に形成されたシャッター本体部４３と、該シャッター本体部４３の長さ方向の一端部に設けられたスライド部材取付部４４とを備えている。
【００２７】
上記スライド部材取付部４４の中央部には、シャッター解放部材係合部９が設けられている。そして、上記カートリッジ１をドライブ装置の所定の位置まで挿入されると、図２４に示したように、ドライブ装置３０１のシャッター解放部材３０２の上記シャッター係合部（以下、シャッター係合ピンという）３０３が上記カートリッジ１のシャッター解放部材係合部９に係合する。上記カートリッジ１が更にドライブ装置３０１に挿入されると、図２４に示したように、上記シャッター開放部材３０２が矢印方向に回動して、上記第２のシャッター板４２がスライドして、上記カートリッジ１の裏面側（下ハーフ３３側）の開口部３１のみが開放されるようになっている。
【００２８】
（２）ディスクの構成
図５に示したように、上記ディスク２は、円盤状の記録媒体本体部２１と、該記録媒体本体部２１の中央部に設けられたセンターハブ２２を有している。
【００２９】
上記記録媒体本体部２１は、例えば図６に示したように、ポリカーボネート（ＰＣ）の基板２３の内面に記録層２４を設け、外面に保護層２５を設けた第１，第２の成膜済基板の記録媒体２６，２７を重ね合わせて接着層２８で接着することにより形成されている。上記ディスク２は、センターハブ２３がドライブ装置のターンテーブル３０４にチャッキングされ、第１の記録媒体２６の記録層２４にドライブ装置の光学ピックアップ３０５によって記録及び／又は再生が可能になると共に、上記ディスク２を裏返すことにより、上記光学ピックアップ３０５により、上記第２の記録媒体２７の記録層２４への記録及び／又は再生が可能になる。上記記録媒体本体部２１は、数ＧＢ〜４０ＧＢ（ギガバイト）の高容量に形成されている。
【００３０】
上記センターハブ２２は、上記ディスク２の第１の記録媒体２６の記録層２４に記録及び／又は再生する場合は勿論のこと、上記ディスク２を裏返して装着し、上記第２の記録媒体２７の記録層２４に記録及び／又は再生を行う場合でも上記ディスク２をドライブ装置のターンテーブル３０４に確実にチャッキングできる構成になっている。
【００３１】
（３）シェルの構成
図５に示したように、上記シェル３は、幅方向（シャッタースライド方向）の中央部に上記開口部３１を設けた上ハーフ３２と下ハーフ３３の前、後、左、右の周壁３４ａ，３４ｂ，３４ｃ，３４ｄ相互を突き合わせて複数のビス３５で結合することにより形成されている。上記ビス３５の頭部が見えるのが裏面側である。
【００３２】
上記シェル３は、上，下ハーフ３２，３３の前後周壁３４ａの内側がディスク収納部３６になっていると共に、上記上，下ハーフ３２，３３の前周壁３４ａの外側がスライド部材組付部３７になっている。
【００３３】
そして、上記ディスク収納部３６内に収納されたディスク２の記録媒体本体部２１の表，裏面及びセンターハブ２２の表，裏面が上記上，下ハーフ３２，３３の開口部３１に臨むようになっている。
【００３４】
上記上，下ハーフ３２，３３の外面には、シャッタースライド面５とラベル貼着面６が設けられている。上記シャッタースライド面５は、上記上，下ハーフ３２，３３の外面から上記第１，第２のシャッター板４１，４２の略肉厚ぶんだけ低い位置に形成されていて、上記第１，第２のシャッター板４１，４２を重ね合わせたときに、上記上，下ハーフ３２，３３の外面と上記第１，第２のシャッター板４１，４２の外面とが略面一及びもしくは若干低くなるようになっている。また、上記シャッタースライド面５の上，下ハーフ３２，３３の後周壁３４ｂ側の端部は、更に一段低いシャッター端部挿入部５１になっている。そして、図７に示したように、上記シャッター端部挿入部５１に上記第１，第２のシャッター板４１，４２の端部４５が挿入されていて、上記端部４５は、上記シャッター端部挿入部５１内に取付けられたスライドガイド板５２によって上記上，下ハーフ３２，３３の外面から浮き上がる（捲れ上がる）のを防止されて、上記第１，第２のシャッター板４１，４２は円滑なスライドを保証されるようになっている。
【００３５】
また、上記ラベル貼着面６は、上記上，下ハーフ３２，３３の外面から貼着ラベルの略肉厚ぶんだけ低くなった位置に形成されていて、図８に示したように上記シート貼着面６に２点鎖線で示す貼着ラベル６２を貼着したときに、上記上，下ハーフ３２，３３の外面と上記貼着ラベル６２の外面とが略面一及びもしくは若干低くなる。
【００３６】
上記シェル３は、成形性及び機械的強度に優れた合成樹脂、例えばポリカーボネート（ＰＣ）やＡＢＳ樹脂等により形成されている。
【００３７】
（４）シャッターの構成
図１０に示したように、上記シャッター４は、上記上ハーフ３２の開口部３１を開閉する第１のシャッター板４１と、下ハーフ３３の開口部３１を開閉する第２のシャッター板４２とに分割されている。
【００３８】
上記第１，第２のシャッター板４１，４２は、上記開口部３１よりも若干大き目の幅Ｗと長さＬの長方形状に形成されたシャッター本体部４３と、該シャッター本体部４３の長さ方向の一端部に設けられたスライド部材取付部４４を備えている。上記スライド部材取付部４４は、上記シャッター本体部４３の一端部に略直角に連続する第１折曲部４５と、該第１折曲部４５の先端に上記シャッター本体部４３と重なり合う方向に略直角に連続する第２折曲部４５とで構成されている。また、上記シャッター本体部４３の長さ方向の他端部には、上記上，下ハーフ３２，３３のシャッタースライド面５の一端部のシャッター端部挿入部５１に挿入される被挿入側の端部４７が設けられている。
【００３９】
上記スライド部材取付部４４の中央部には、次に説明するスライド部材側の係合部７３ａと共に、上記シャッター解放部材係合部９を構成するシャッター側の係合部４４ａが設けられている。
【００４０】
上記スライド部材取付部４４の係合部４４ａの両側部には、これら両側部をビス止めする際に、ビス１０の頭部１０ａを導入するビス受け用の凹部４４ｂ，４４ｃが設けられている。上記凹部４４ｂ，４４ｃの中央部にはビス穴４４ｄが設けられている。
【００４１】
また、上記被挿入側の端部４５は、上記シャッター本体部４３に対して段差Ｈをもたせた状態に形成されていて、上記スライドガイド板５２の下方のシャッター端部挿入部５１内に挿入されるようになっている。
【００４２】
上記第１，第２のシャッター板４１，４２は、所定の形状に打ち抜いたステンレススチールやアルミニウム等の金属板を折り曲げることにより或は合成樹脂等により形成されている。なお、本実施例では、上記第１，第２のシャッター板４１，４２は、同一部材を使用しているが、例えば、被挿入側の端部４５の形状を変えて、意図的に別部材としてもよい。
【００４３】
（５）スライド部材の構成
図１１，図１２に示したように、上記スライド部材７は、上記第１のシャッター板４１を上記シェル３にスライド可能に取付ける第１のスライド部７１と、上記第２のシャッター板４２を上記シェル３にスライド可能に取付ける第２のスライド部７２とに分割されている。
【００４４】
上記第１，第２のスライド部７１，７２は、上記第１のシャッター板４１又は第２のシャッター板４２のいずれか一方を取付けるシャッター板取付部７３と、該シャッター板取付部７３の底部の一側部に、該シャッター板取付部７３の幅と略同じ幅で、かつ上記シャッター板取付部７３の長さの略半分の長さに形成されていて、他方のスライド部材のシャッター板取付部７３が載置されるステージ部７４と、上記シャッター板取付部７３のスライド方向の一端側の上面に設けられていて、他方のスライド部材のシャッター板取付部７３の先端が当接するストッパー部７５と、上記シャッター板取付部７３のスライド方向の一端部（上記ストッパー部７５）の下面に設けられた第１の脚部７６と、上記シャッター板取付部７３の中央部の下面に設けられた第２の脚部７７と、上記第１，第２のスライド部７１，７２の第１の脚部７６，７６間に設けられたばね係止部７８とを備えている。
【００４５】
上記シャッター板取付部７３は、上記第１，第２のシャッター板４１，４２のスライド部材取付部４４を重ね合わせたときに、上記スライド部材取付部４４の中央部に設けたシャッター解放部材係合部４４ａの下方に重なるスライド部材側の係合部７３ａを備えている。上記スライド部材側の係合部７３ａは、底部７３ｆを備えた有底状に形成されている。図１３に示したように、上記シャッター側の係合部４４ａは、スライド部材側の係合部７３ａよりも僅かに大きく、換言すれば、上記スライド部材側の係合部７３ａは、上記シャッター側の係合部４４ａよりも僅かに小さく形成されていて、上記ドライブ装置３０１のシャッター解放部材３０２のシャッター係合ピン３０３は、上記シャッター解放部材係合部９のスライド部材側の係合部７３ａにのみ係合するようになっている。
【００４６】
図１１，図１２に示したように、上記スライド部材側の係合部７３ａの両側部には、上記第１，第２のシャッター板４１，４２のスライド部材取付部４４を重ね合わせたときに、上記スライド部材取付部４４のビス受け用の凹部４４ｂ，４４ｃが嵌合する凹部７３ｂ，７３ｃが設けられている。上記凹部７３ｂ，７３ｃの中央部にはビス穴７３ｄが設けられている。
【００４７】
上記第１，第２のスライド部７１，７２は、同形、同大に形成されていて、第１のスライド部７１のシャッター板取付部７３を第２のスライド部７２のステージ部７４上に載置すると共に、上記第２のスライド部７２のシャッター板取付部７３を第１のスライド部７１のステージ部７４上に載置し、上記第１，第２のスライド部７１，７２に設けたばね係止部７８に、ばね部材（コイルスプリング）８０の一端部と他端部がそれぞれ係止されている。
【００４８】
上記第１，第２のスライド部７１，７２は、上記ばね部材８０により互に牽引されて、上記第１のスライド部７１のシャッター板取付部７３の先端が上記第２のスライド部７２のシャッター開放部材係合部７５に当接し、上記第２のスライド部７２のシャッター板取付部７３の先端が上記第１のスライド部７１のシャッター開放部材係合部７５に当接して、図１２に示したように、上記第１，第２のスライド部７１，７２は、互に結合された状態になる。
【００４９】
上記シャッター板取付部７３の先端とシャッター開放部材係合部７５の当接部には、互に嵌まり合う凸部８１と凹部８２が設けられていて、これら凸部８１と凹部８２の嵌合により、結合状態における上記第１，第２のスライド部７１，７２の位置ズレ（浮き上がり）を防止するようになっている。上記第１，第２の脚部７６，７７の間は、ばね部材８０の収納空間になっている。
【００５０】
上記ばね係止部７８は、図１４に示したように、上記第１の脚部７６の外側面よりも内側に形成されていて、ばね部材８０が上記第１，第２のシャッター板取付部７３の下面内に収まる状態で取付けられるようになっている。
【００５１】
上記ばね部材８０によって結合された第１，第２のスライド部７１，７２の底面の中央部の第２の脚部７７，７７間には、上記第１，第２ガイド部１１，１２の中央部に設けた位置決め突起１９が挿入される隙間８５が設けられている。
【００５２】
上記第１，第２のスライド部７１，７２は、潤滑性や耐磨耗性等に優れたポリカーボネートやポリアセタール或はポリプロピレン等の合成樹脂で形成されていて、上記第１〜第４ガイド部１１〜１４に沿って円滑にスライドするようになっている。上記第１，第２のスライド部７１，７２は、同形、同大であり、即ち同一部材として構成してもよいものであり、或は組立上、色分けしてもよい。
【００５３】
（６）ガイド機構の構成
ガイド機構８は、上述したように、第１，第２のシャッター板４１，４２及びこれら第１，第２のシャッター板４１，４２を取り付けた第１，第２のスライド部７１，７２を、上記開口部３１を閉塞する第１の位置と、上記開口部３１を開放する第２の位置との間でスライドさせるものである。
【００５４】
上記ガイド機構８は、図１６（Ａ）,（Ｂ）に示したように、上記スライド部材組付部３７の内側面の対向部に設けられた一対の凸状の第１，第２ガイド部１１，１２と、これら一対の凸状の第１，第２ガイド部１１，１２の下部に設けられた一対の凹状の第３，第４ガイド部１３，１４と、上記第１，第２のスライド部７１，７２の第１，第２の脚部７６，７７の左右の脚部の外側面に設けられていて、これら第１，第２の脚部７６，７７を上記シェル３のスライド部材組付部３７に挿入したときに、上記一対の凸状の第１，第２ガイド部１１、１２に係合する一対の凹状の第５，第６ガイド部１５，１６と、上記一対の凹状の第３，第４ガイド部１３，１４に係合する一対の凸状の第７，第８ガイド部１７，１８とで構成されている。
【００５５】
上記第１，第３ガイド部１１，１３は、上記上ハーフ３２の内側面に設けられている。上記第２，第４ガイド部１２，１４は、上記下ハーフ３３の内側面に設けられている。
【００５６】
上記第５，第７ガイド部１５，１７は、上記第１，第２の脚部７６，７７の左右の脚部のうちの一方（図１６の右方）の脚部の外側面に設けられ、上記第６，第８ガイド部１６，１８は、他方（図１６の左方）の脚部の外側面に設けられている。
【００５７】
次に、上記ガイド機構８の組み立て、つまり、上記シェル３のスライド部材組付部３７へのスライド部材７の組み付けについて説明する。
【００５８】
上記第１，第２のスライド部７１，７２を上記ばね部材８０によって結合した状態で、図１５及び図１６（Ａ）,（Ｂ）に示したように、上記第１，第２のスライド部７１，７２の第２の脚部７７，７７間の隙間８５を上記位置決め突起１９の位置に合わせて、上記第１，第２の脚部７６，７７を上記スライド部材組付部３７に挿入する。上記第１，第２の脚部７６，７７を挿入すると、図１７（Ａ）,（Ｂ）に示したように、上記第７，第８ガイド部１７，１８の下端外側の傾斜面１７ａ，１８ａが上記第１，第２ガイド部１１，１２の傾斜面１１ａ，１２ａに当接し、上記第１，第２の脚部７６，７７の左右の脚部は、内側に弾性変形する。
【００５９】
上記第６，第８ガイド部１６，１８が上記第１，第２ガイド部１１，１２を乗り越えると、上記第１，第２の脚部７６，７７の左右の脚部は、弾性復帰して、図１８（Ａ）,（Ｂ）に示したように、上記シェル３のスライド部材組付部３７の内側面に設けられた第１〜第４ガイド部１１〜１４と、上記第１，第２の脚部７６，７７の外側面に設けられた第５〜第８ガイド部１５〜１８とが自ずと係合すると共に、図１９に示したように、上記第１，第２のスライド部７１，７２の第２の脚部７７，７７間の隙間８５に、上記第１，第２ガイド部１１，１２の中央部に設けた位置決め突起１９が侵入して、上記第１，第２のスライド部７１，７２は、上記第１，第２のシャッター板４１，４２で上記上，下ハーフ３２，３３の開口部３１を閉塞する第１の位置にセットされる。上記第１のスライド部７１は、上記位置決め突起１９によって、上ハーフ３２の開口部３１を開閉する方向へのスライドのみが許容される。また、上記第２のスライド部７２は、上記位置決め突起１９によって、下ハーフ３３の開口部３１を開閉する方向へのスライドのみが許容される。
【００６０】
次に、上記スライド部材へのシャッターへの組み付けについて説明する。図２０，図２１に示したように、上記第１，第２のシャッター板４１，４２のスライド部材取付部４４を、上記第１，第２のスライド部７１，７２のシャッター板取付部７３内に挿入すると、上記第１，第２のシャッター板４１，４２のスライド部材取付部４４の中央部に設けたシャッター側の係合部４４ａと、上記第１，第２のスライド部７１，７２のシャッター板取付部７３に設けたスライド部材側の係合部７３ａとが重なり合うと共に、上記第１，第２のシャッター板４１，４２のスライド部材取付部４４のビス受け用の凹部４４ｂ，４４ｃが上記第１，第２のスライド部７１，７２のシャッター板取付部７３の凹部７３ｂ，７３ｃに嵌合する。  次に、図２２に示したように、上記第１，第２のシャッター板４１，４２のスライド部材取付部４４のビス受け用の凹部４４ｂ，４４ｃの中央部に設けたビス穴４４ｄを通してビス１０を上記第１，第２のスライド部７１，７２のシャッター板取付部７３の凹部７３ｂ，７３ｃのビス穴７３ｄに螺着することにより、上記第１，第２のシャッター板４１，４２は、上記第１，第２のスライド部７１，７２のシャッター板取付部７３に取り付けられる。
【００６１】
（７）他の実施例
図２３は、上記第１，第２のスライド部７１，７２のシャッター板取付部７３の凹部７３ｂ，７３ｃの中央部にビス穴７３ｄを設ける代わりに、溶着用のピン７３ｅを設けた場合を示す。上記溶着用のピン７３ｅは、上記第１，第２のシャッター板４１，４２のスライド部材取付部４４を上記第１，第２のスライド部７１，７２のシャッター板取付部７３上に重ね合わせた状態にすると、上記第１，第２のシャッター板４１，４２のスライド部材取付部４４の凹部４４ｂ，４４ｃの中央部に設けたビス穴４４ｄを通って上記凹部４４ｂ，４４ｃ内に突出した状態になる。そこで、上記溶着用のピン７３ｅの上端部に超音波溶着装置のホーン１００を押し当てて上記溶着用のピン７３ｅの先端を溶融して、上記ビス穴４４ｄよりも大径の頭部（図示省略）をカシメ形成することにより、上記第１，第２のシャッター板４１，４２は、上記第１，第２のスライド部７１，７２のシャッター板取付部７３に取り付けられるようになっている。
【００６２】
（８）作用
第１，第２のシャッター板４１，４２が第１の位置にあるとき、これら第１，第２のシャッター板４１，４２は、上記上，下ハーフ３２，３３のシャッタースライド面５に設けられている開口部３１を閉塞している。
【００６３】
そして、図１に示したように、上記上ハーフ３２を上にし、下ハーフ３３を下にした姿勢（以下、正規の姿勢という）で上記カートリッジ１をドライブ装置３０１の所定の位置まで挿入すると、図２４に示したように、上記ドライブ装置３０１に設けたシャッター開放部材３０２のシャッター係合部３０３が、上記第２のスライド部７２のシャッター開放部材係合部９、詳しくは、上記スライド部材側の係合部７３ａに係合する。上記第２のスライド部７２のスライド部材側の係合部７３ａと、その上方に位置する第１のスライド部７１のスライド部材側の係合部７３ａとは互いに底部７３ｆによって仕切られた状態になっているため、上記ドライブ装置３０１に設けたシャッター開放部材３０２のシャッター係合部３０３が、上記第１のスライド部７１のシャッター開放部材係合部９に係合することは阻止される。上記カートリッジ１を更にドライブ装置３０１に挿入すると、図２５に示したように、シャッター開放部材３０２が回動して、上記第２のスライド部７２が矢印Ｂ方向にスライドし、図３に裏返して示したように、上記第２のスライド部７２に取付けられている第２のシャッター板４２を上記下ハーフ３３の開口部３１を開放する第２の位置にスライドさせる。
【００６４】
そして、上記第２のシャッター板４２が第１の位置にスライドしたのち、上記下ハーフ３３の開口部３１を介して、図６に示したように、上記ディスク２のセンターハブ２２はドライブ装置３０１のターンテーブル３０４にチャッキングされて回転されると共に、光学ピックアップ３０５により、上記ディスク２の第１の記録媒体２６の記録層２４への記録及び／又は再生が行われる。
【００６５】
また、図２に示したように、下ハーフ３３を上にし、上ハーフ３２を下にした姿勢（以下、逆の姿勢という）で上記カートリッジ１をドライブ装置３０１に挿入すると、上記ドライブ装置３０１に設けたシャッター開放部材３０２のシャッター係合ピン３０３が、上記第１のスライド部７２のシャッター開放部材係合部９のスライド部材側の係合部７３ａに係合して、上記第１のスライド部７１が上記ガイド機構８によって矢印Ｂ方向にスライドし、図４に裏返して示したように、上記第１のスライド部７１に取付けられている第１のシャッター板４１を上記上ハーフ３２の開口部３１を開放する第２の位置にスライドさせる。そして、上記第１のシャッター板４１が第１の位置にスライドしたのち、上記上ハーフ３２の開口部３１を介して、上記ディスク２のセンターハブ２２は、ドライブ装置３０１のターンテーブル３０４にチャッキングされて回転されると共に、光学ピックアップ３０５により、上記ディスク２の第２の記録媒体２７の記録層２４への記録及び／又は再生が行われる。
【００６６】
上記正規の姿勢での記録及び／又は再生を行う場合も逆の姿勢で記録及び／又は再生を行う場合も記録及び／又は再生に直接関与しない他方（上方）の開口部３１は閉じられた状態に維持されるので、該他方の開口部３１からシェル３内に塵埃等が侵入して、ディスク１の表面に付着することが防止される。
【００６７】
図３に示すように、第１のシャッター板４１を第１の位置から第２の位置にスライドさせる場合と、図４に示す第２のシャッター板４２を第１の位置から第２の位置にスライドさせる場合とは、上記第１，第２のシャッター板４１，４２のスライド方向は同じであるので、第１のシャッター板４１を開放するシャッター開放部材を第２のシャッター板４２を開放するシャッター開放部材として兼用できる。
【００６８】
【発明の効果】
本発明の情報記録媒体カートリッジには次に述べるような効果がある。
【００６９】
（１）請求項１の情報記録媒体カートリッジは、記録及び／又は再生装置のシャッター解放部材が係合するシャッター解放部材係合部を、第１，第２のシャッター板を取り付けたスライド部材に設けたので、第１，第２のシャッター板を円滑にスライドさせることができる。また、上記第１，第２のシャッター板が上記カートリッジケースの表，裏面に設けた記録及び／又は再生用の開口部を閉じている状態において、上記シャッター側の係合部とスライド部材側の係合部とがカートリッジケースの厚み方向に重なり合うので、両者の組み付けや、位置決め等が容易になる。また、シャッター解放部材係合部を、カートリッジケースの中央部及び／又はシャッターの幅方向の中央部に設けたので、従来のシャッター解放部材係合部を、カートリッジケースの中央部及び／又はシャッターの幅方向の中央部から変位した位置に設けた従来のカートリッジ用の記録及び／又は再生装置に挿入した場合には、シャッター解放部材係合部とシャッター解放部材の位置が合致せず、従ってシャッターは開かれず、従来のカートリッジ用の記録及び／又は再生装置への誤装填が阻止される。
【００７０】
（２）請求項２の情報記録媒体カートリッジは、シャッター側の係合部の内周面を、スライド部材側の係合部の内周面よりも外側に配置したので、シャッター解放部材のシャッター係合ピンは、スライド部材側の係合部の外内周面に接触し、シャッター側の係合部の内周面とは非接触状態になり、上記シャッター係合ピンは、上記シャッター側の係合部の内周面のエッジ等から保護されると共に、上記シャッター側の係合部の内周面も上記シャッター係合ピンの接触圧等による変形から保護される。
【００７２】
（３）請求項３の情報記録媒体カートリッジは、上記第１，第２のシャッター板のスライド部材側の係合部の少なくともいずれか一方に底部を形成し、上記第１，第２のシャッター板のスライド部材側の係合部の間を上記底部で隔成した（仕切った）ので、記録及び／又は再生装置のシャッター解放部材が上記第１，第２のシャッター板のスライド部材側の係合部の両方に跨って係合するのを防止することができる。
【図面の簡単な説明】
【図１】カートリッジを表面側から見た斜視図（シャッター閉状態）。
【図２】カートリッジを裏面側から見た斜視図（シャッター閉状態）。
【図３】カートリッジを表面側から見た斜視図（シャッター開状態）。
【図４】カートリッジを裏面側から見た斜視図（シャッター開状態）。
【図５】カートリッジの分解斜視図。
【図６】ディスクの断面図。
【図７】図１のａ−ａ断面図。
【図８】図１のｂ−ｂ断面図。
【図９】シェルの前周壁側の断面図。
【図１０】第１，第２のシャッター板の斜視図。
【図１１】スライド部材の斜視図。
【図１２】スライド部材の分解斜視図。
【図１３】シャッター解放部材係合部の拡大斜視図。
【図１４】スライド部材の底面図。
【図１５】シェルを組立てた状態の斜視図。
【図１６】（Ａ）は第１の脚部の組付工程図、（Ｂ）は第２の脚部の組付工程図。
【図１７】（Ａ）は第１の脚部の組付工程図、（Ｂ）は第２の脚部の組付工程図。
【図１８】（Ａ）は第１の脚部の組付工程図、（Ｂ）は第２の脚部の組付工程図。
【図１９】スライド部材が組み付けられた状態の要部の平面図。
【図２０】シャッターの組付工程図。
【図２１】シャッターの組付工程図。
【図２２】シャッターの組付工程図。
【図２３】他の実施例の断面図。
【図２４】シャッター解放部材がシャッター解放部材係合部に係合した状態の平面図。
【図２５】シャッター解放部材が回動して下ハーフ側のシャッターが解放された状態の平面図。
【図２６】図２４のＡ−Ａ断面図。
【図２７】従来の一体型シャッターを使用したカートリッジの斜視図。
【図２８】ドライブ装置へ装着した状態の断面図。
【図２９】従来の分割型シャッターを使用したカートリッジの斜視図。
【図３０】従来の分割型シャッターを使用したカートリッジを裏面側から見た斜視図。
【図３１】シャッター解放部材係合部の断面図。
【図３２】ドライブ装置へ装着した状態の断面図。
【符号の説明】
１…カートリッジ、２…ディスク、３…シェル、４…シャッター、５…シャッタースライド面、７…スライド部材、８…ガイド機構、９…シャッター解放部材係合部、３１…開口部、４１，４２…第１，第２のシャッター板、４３…シャッター本体部、４４…スライド部材取付部、４４ａ…シャッター側の係合部、７１，７２…第１，第２のスライド部、７３…シャッター板取付部、７３ａ…スライド部側の係合部。
【図１】
0003661607.tif 000002
【図２】
0003661607.tif 000003
【図３】
0003661607.tif 000004
【図４】
0003661607.tif 000005
【図５】
0003661607.tif 000006
【図６】
0003661607.tif 000007
【図７】
0003661607.tif 000008
【図８】
0003661607.tif 000009
【図９】
0003661607.tif 000010
【図１０】
0003661607.tif 000011
【図１１】
0003661607.tif 000012
【図１２】
0003661607.tif 000013
【図１３】
0003661607.tif 000014
【図１４】
0003661607.tif 000015
【図１５】
0003661607.tif 000016
【図１６】
0003661607.tif 000017
【図１７】
0003661607.tif 000018
【図１８】
0003661607.tif 000019
【図１９】
0003661607.tif 000020
【図２０】
0003661607.tif 000021
【図２１】
0003661607.tif 000022
【図２２】
0003661607.tif 000023
【図２３】
0003661607.tif 000024
【図２４】
0003661607.tif 000025
【図２５】
0003661607.tif 000026
【図２６】
0003661607.tif 000027
【図２７】
0003661607.tif 000028
【図２８】
0003661607.tif 000029
【図２９】
0003661607.tif 000030
【図３０】
0003661607.tif 000031
【図３１】
0003661607.tif 000032
【図３２】
0003661607.tif 000033